【手続補正書】
【提出日】平成17年10月21日(2005.10.21)
【手続補正１】
【補正対象書類名】明細書
【補正対象項目名】特許請求の範囲
【補正方法】変更
【補正の内容】
【特許請求の範囲】
【請求項１】  所定の振幅分布の像を再生する計算機ホログラムの作成方法であって、像空間中の目標の振幅分布から回折原理に基づいてホログラム空間中の振幅分布と位相分布を求め、求められたホログラム空間中の少なくとも位相分布から回折原理に基づいて像空間中の振幅分布と位相分布を求め、求められた像空間中の振幅分布を目標の振幅分布に近づけるように、これらの工程を繰り返し、求められた像空間中の振幅分布が目標の振幅分布に近づいた後に、その像空間中の振幅分布を求めたホログラム空間中の位相分布をホログラムの位相分布として構成する計算機ホログラムの作成方法において、
像空間中のサンプリング点各々での、目標の振幅分布と求められた像空間中の振幅分布との比又は差に基づいて、次回のホログラム空間中の振幅分布と位相分布を求めるのに用いる像空間中の目標の振幅分布の各サンプリング点での値を補正して、その補正した振幅分布から回折原理に基づいてホログラム空間中の振幅分布と位相分布を求めることを特徴とする計算機ホログラムの作成方法。
【請求項２】  前記の次回のホログラム空間中の振幅分布と位相分布を求めるのに用いる像空間中の目標の振幅分布の各サンプリング点での値の補正に用いる係数として、目標の振幅分布をＡ’in（ｘ，ｙ，ｚ）、求められた像空間中の振幅分布をＡ’rec （ｘ，ｙ，ｚ）とするとき、［Ａ’in（ｘ，ｙ，ｚ）／Ａ’rec （ｘ，ｙ，ｚ）］a が用いられ、そのベキの値ａとしてａ＜１の値を用いることを特徴とする請求項１記載の計算機ホログラムの作成方法。
【請求項３】  前記の次回のホログラム空間中の振幅分布と位相分布を求めるのに用いる像空間中の目標の振幅分布の各サンプリング点での値の補正に用いる係数として、目標の振幅分布をＡ’in（ｘ，ｙ，ｚ）、求められた像空間中の振幅分布をＡ’rec （ｘ，ｙ，ｚ）とするとき、［Ａ’in（ｘ，ｙ，ｚ）／Ａ’rec （ｘ，ｙ，ｚ）］a が用いられ、そのベキの値ａとしてａ≧１の値を用いることを特徴とする請求項１記載の計算機ホログラムの作成方法。
【請求項４】  前記の次回のホログラム空間中の振幅分布と位相分布を求めるのに用いる像空間中の目標の振幅分布の各サンプリング点での値の補正に用いる補正項として、目標の振幅分布をＡ’in（ｘ，ｙ，ｚ）、求められた像空間中の振幅分布をＡ’rec （ｘ，ｙ，ｚ）とするとき、ｂ［Ａ’in（ｘ，ｙ，ｚ）−Ａ’rec （ｘ，ｙ，ｚ）］が用いられ、その係数の値ｂとしてｂ＜１の値を用いることを特徴とする請求項１記載の計算機ホログラムの作成方法。
【請求項５】  前記の次回のホログラム空間中の振幅分布と位相分布を求めるのに用いる像空間中の目標の振幅分布の各サンプリング点での値の補正に用いる補正項として、目標の振幅分布をＡ’in（ｘ，ｙ，ｚ）、求められた像空間中の振幅分布をＡ’rec （ｘ，ｙ，ｚ）とするとき、ｂ［Ａ’in（ｘ，ｙ，ｚ）−Ａ’rec （ｘ，ｙ，ｚ）］が用いられ、その係数の値ｂとしてｂ≧１の値を用いることを特徴とする請求項１記載の計算機ホログラムの作成方法。
【請求項６】  求められたホログラム空間中の少なくとも位相分布から回折原理に基づいて像空間中の振幅分布と位相分布を求める際に用いるホログラム空間中の振幅分布として、再生照明光の振幅分布を照明条件として積算した振幅分布を用いることを特徴とする請求項１から５の何れか１項記載の計算機ホログラムの作成方法。
【請求項７】  ホログラム空間中で求められた振幅分布と位相分布から回折原理に基づいて像空間中の振幅分布と位相分布を求めることを特徴とする請求項１から６の何れか１項記載の計算機ホログラムの作成方法。
【請求項８】  求められたホログラム空間中の振幅分布と位相分布とに基づいて振幅位相ホログラムとして構成することを特徴とする請求項１から７の何れか１項記載の計算機ホログラムの作成方法。
【請求項９】  求められたホログラム空間中の振幅分布を一定の値に束縛して位相ホログラムとして構成することを特徴とする請求項１から７の何れか１項記載の計算機ホログラムの作成方法。
【請求項１０】  前記の工程を繰り返した後であって、求められた像空間中の振幅分布が目標の振幅分布に近づいた後に、その像空間中の振幅分布を求めたホログラム空間中の位相分布から再生照明光の位相分布を照明条件として差し引いてホログラムの位相分布とすることを特徴とする請求項１から９の何れか１項記載の計算機ホログラムの作成方法。
【請求項１１】  所定の振幅分布の像を再生する計算機ホログラムの作成方法であって、像空間中の目標の振幅分布から回折原理に基づいてホログラム空間中の振幅分布と位相分布を求め、求められたホログラム空間中の少なくとも位相分布から回折原理に基づいて像空間中の振幅分布と位相分布を求め、求められた像空間中の振幅分布を目標の振幅分布に近づけるように、これらの工程を繰り返し、求められた像空間中の振幅分布が目標の振幅分布に近づいた後に、その像空間中の振幅分布を求めたホログラム空間中の位相分布をホログラムの位相分布として構成する計算機ホログラムの作成方法において、
求められたホログラム空間中の少なくとも位相分布から回折原理に基づいて像空間中の振幅分布と位相分布を求める際に用いるホログラム空間中の振幅分布として、再生照明光の振幅分布を照明条件として積算した振幅分布を用いることを特徴とする計算機ホログラムの作成方法。
【請求項１２】  所定の振幅分布の像を再生する計算機ホログラムの作成方法であって、像空間中の目標の振幅分布から回折原理に基づいてホログラム空間中の振幅分布と位相分布を求め、求められたホログラム空間中の少なくとも位相分布から回折原理に基づいて像空間中の振幅分布と位相分布を求め、求められた像空間中の振幅分布を目標の振幅分布に近づけるように、これらの工程を繰り返し、求められた像空間中の振幅分布が目標の振幅分布に近づいた後に、その像空間中の振幅分布を求めたホログラム空間中の位相分布をホログラムの位相分布として構成する計算機ホログラムの作成方法において、
前記の工程を繰り返した後であって、求められた像空間中の振幅分布が目標の振幅分布に近づいた後に、その像空間中の振幅分布を求めたホログラム空間中の位相分布から再生照明光の位相分布を照明条件として差し引いてホログラムの位相分布とすることを特徴とする計算機ホログラムの作成方法。
【請求項１３】  請求項１から１２の何れか１項記載の計算機ホログラムの作成方法により作成されたことを特徴とする計算機ホログラム。
【手続補正２】
【補正対象書類名】明細書
【補正対象項目名】００２６
【補正方法】変更
【補正の内容】
【００２６】
本発明のもう１つの計算機ホログラムの作成方法は、所定の振幅分布の像を再生する計算機ホログラムの作成方法であって、像空間中の目標の振幅分布から回折原理に基づいてホログラム空間中の振幅分布と位相分布を求め、求められたホログラム空間中の少なくとも位相分布から回折原理に基づいて像空間中の振幅分布と位相分布を求め、求められた像空間中の振幅分布を目標の振幅分布に近づけるように、これらの工程を繰り返し、求められた像空間中の振幅分布が目標の振幅分布に近づいた後に、その像空間中の振幅分布を求めたホログラム空間中の位相分布をホログラムの位相分布として構成する計算機ホログラムの作成方法において、
求められたホログラム空間中の少なくとも位相分布から回折原理に基づいて像空間中の振幅分布と位相分布を求める際に用いるホログラム空間中の振幅分布として、再生照明光の振幅分布を照明条件として積算した振幅分布を用いることを特徴とする方法である。
本発明のさらにもう１つの計算機ホログラムの作成方法は、所定の振幅分布の像を再生する計算機ホログラムの作成方法であって、像空間中の目標の振幅分布から回折原理に基づいてホログラム空間中の振幅分布と位相分布を求め、求められたホログラム空間中の少なくとも位相分布から回折原理に基づいて像空間中の振幅分布と位相分布を求め、求められた像空間中の振幅分布を目標の振幅分布に近づけるように、これらの工程を繰り返し、求められた像空間中の振幅分布が目標の振幅分布に近づいた後に、その像空間中の振幅分布を求めたホログラム空間中の位相分布をホログラムの位相分布として構成する計算機ホログラムの作成方法において、
前記の工程を繰り返した後であって、求められた像空間中の振幅分布が目標の振幅分布に近づいた後に、その像空間中の振幅分布を求めたホログラム空間中の位相分布から再生照明光の位相分布を照明条件として差し引いてホログラムの位相分布とすることを特徴とする方法である。
なお、本発明は、以上の何れかの計算機ホログラムの作成方法により作成された計算機ホログラムを含むものである。